(57)【要約】【課題】スイッチングノイズ発生素子および電流制御回路を同じ基板に実装した状態で電流制御回路へのスイッチングノイズの影響を抑え、また、スイッチングノイズ発生素子および電流制御回路のレイアウトの自由度を高め、さらに、小型化が図れる点灯装置を提供する。【解決手段】点灯装置１０は、電流制御回路１４を基板１２に備えるとともに、電流を安定化させるパワー素子２５および電圧変換を実施するトランス２６を有するインバータ回路ブロック１５を基板に備えている。そして、インバータ回路ブロックを構成する部品のうち、スイッチングノイズ発生部品２５〜２７にスイッチングノイズを遮蔽するノイズ遮蔽手段２０を設けた。【選択図】図４
2010272576.tif 000002
【特許請求の範囲】
【請求項１】
点灯作動により光源へ電源を供給する点灯装置において、
電流を目標値に制御する電流制御回路を基板に備えるとともに、電流を安定化させるパワー素子および電圧変換を実施するトランスを有するインバータ回路ブロックを前記基板に備え、
前記インバータ回路ブロックを構成する部品のうち、点灯時にスイッチングノイズが発生するスイッチングノイズ発生部品に前記スイッチングノイズを遮蔽するノイズ遮蔽手段を設けたことを特徴とする点灯装置。
【請求項２】
請求項１の点灯装置において、前記ノイズ遮蔽手段は、前記スイッチングノイズ発生部品を単体ごとに個別に覆うことで、前記スイッチングノイズ発生部品から発生するスイッチングノイズを単体ごとに遮蔽することを特徴とする点灯装置。
【請求項３】
請求項１の点灯装置において、前記スイッチングノイズ発生部品が所定箇所にまとめて実装され、
前記ノイズ遮蔽手段は、
前記スイッチングノイズ発生部品をまとめて覆うことで、前記スイッチングノイズ発生部品から発生するスイッチングノイズを遮蔽することを特徴とする点灯装置。
【請求項４】
請求項１の点灯装置において、前記スイッチングノイズ発生部品が所定箇所にまとめて実装され、
前記ノイズ遮蔽手段は、
前記スイッチングノイズ発生部品を各部品ごとに仕切るとともに、仕切られた各部品を一部材で覆うことで、前記スイッチングノイズ発生部品から発生するスイッチングノイズを各部品ごとに遮蔽することを特徴とする点灯装置。
【請求項５】
請求項１の点灯装置において、前記ノイズ遮蔽手段は、前記スイッチングノイズ発生部品を第１ノイズ遮蔽部で単体ごとに個別に覆うとともに、前記第１ノイズ遮蔽部をまとめて第２ノイズ遮蔽部で覆うことで、前記スイッチングノイズ発生部品から発生するスイッチングノイズを遮蔽することを特徴とする点灯装置。
【請求項６】
請求項１〜５の点灯装置において、前記ノイズ遮蔽手段は、前記インバータ回路ブロックを実装する前記基板にはんだ付けにより固定されたことを特徴とする点灯装置。
【請求項７】
請求項１〜５の点灯装置において、前記ノイズ遮蔽手段は、前記インバータ回路ブロックを実装する前記基板に固定具により固定されたことを特徴とする点灯装置。
【発明の詳細な説明】
【技術分野】
【０００１】
本発明は、電流制御回路およびインバータ回路ブロックを備え、点灯作動により光源へ電源を供給する点灯装置に関する。
【背景技術】
【０００２】
点灯装置は、スイッチングノイズを発生する素子（以下、「スイッチングノイズ発生素子」という）や制御部（電流制御回路）を同じ基板に実装し、これらの部品を筐体で囲むことによりノイズを遮蔽している。
例えば、図１７（Ａ），（Ｂ）に示す点灯装置１００は、スイッチングノイズ発生素子１０１と電流制御回路１０２とを備え、基板１０３に実装されたインバータ回路全体を筐体１０４で囲むことにより、スイッチングノイズ発生素子１０１から発生するスイッチングノイズを遮蔽するものである（例えば、特許文献１参照）。
【０００３】
また、図１８に示す点灯装置１１０は、スイッチングノイズを発生するパワー部１１１から分離して電流制御回路１１２が設けられ、パワー部１１１に遮蔽板１１４を設けてスイッチングノイズを遮蔽するものである（例えば、特許文献２参照）。
【先行技術文献】
【特許文献】
【０００４】
【特許文献１】特開平１０−２９００９３号公報
【特許文献２】特開２００３−３４７７８３号公報
【発明の概要】
【発明が解決しようとする課題】
【０００５】
しかし、特許文献１の点灯装置１００は、スイッチングノイズ発生素子１０１や電流制御回路１０２を同じ基板１０３に実装しているため、スイッチングノイズが電流制御回路１０２に印可されてスイッチングノイズの影響を受けることが考えられる。
【０００６】
電流制御回路１０２へのスイッチングノイズの影響を抑えるためには、スイッチングノイズ発生素子１０１や電流制御回路１０２のレイアウトを検討する必要があり、そのことがコストを抑える妨げになっている。
また、スイッチングノイズ発生素子１０１や電流制御回路１０２の実装位置を決定する際にレイアウトの自由度が抑えられる。
【０００７】
一方、特許文献２の点灯装置１１０は、パワー部１１１のみに遮蔽板１１４を設けてスイッチングノイズを遮蔽することで、電流制御回路１１２にスイッチングノイズの影響を与えないようにしている。
しかし、電流制御回路１１２は筐体（遮蔽板）で囲われていないため、他の部材（例えば、モータ）から発生したノイズの影響を受けることが考えられる。
【０００８】
また、点灯装置１１０は、パワー部１１１から電流制御回路１１２を分離することで、電流制御回路１１２にノイズの影響を与えないようにしている。
しかし、パワー部１１１から電流制御回路１１２を分離することで、基板、筐体（遮蔽板）、接続部品などの部品点数が多くなる。
このため、コストアップを抑えることや、必要空間の占領率のアップを抑えること（すなわち、小型化を図ること）が難しく、さらに、組立性の向上や軽量化を図る妨げになっていた。
【０００９】
本発明は、前述した課題を解決するためになされたものであり、その目的はスイッチングノイズ発生素子および電流制御回路を同じ基板に実装した状態で電流制御回路へのスイッチングノイズの影響を抑えることができ、また、スイッチングノイズ発生素子および電流制御回路のレイアウトの自由度を高めることができ、さらに、小型化を図ることができる点灯装置を提供することにある。
【課題を解決するための手段】
【００１０】
本発明は、点灯作動により光源へ電源を供給する点灯装置において、電流を目標値に制御する電流制御回路を基板に備えるとともに、電流を安定化させるパワー素子および電圧変換を実施するトランスを有するインバータ回路ブロックを前記基板に備え、前記インバータ回路ブロックを構成する部品のうち、点灯時にスイッチングノイズが発生するスイッチングノイズ発生部品に前記スイッチングノイズを遮蔽するノイズ遮蔽手段を設けたことを特徴とする。
【００１１】
また、本発明は、前記ノイズ遮蔽手段は、前記スイッチングノイズ発生部品を単体ごとに個別に覆うことで、前記スイッチングノイズ発生部品から発生するスイッチングノイズを単体ごとに遮蔽することを特徴とする。
【００１２】
さらに、本発明は、前記スイッチングノイズ発生部品が所定箇所にまとめて実装され、前記ノイズ遮蔽手段は、前記スイッチングノイズ発生部品をまとめて覆うことで、前記スイッチングノイズ発生部品から発生するスイッチングノイズを遮蔽することを特徴とする。
【００１３】
また、本発明は、前記スイッチングノイズ発生部品が所定箇所にまとめて実装され、前記ノイズ遮蔽手段は、前記スイッチングノイズ発生部品を各部品ごとに仕切るとともに、仕切られた各部品を一部材で覆うことで、前記スイッチングノイズ発生部品から発生するスイッチングノイズを各部品ごとに遮蔽することを特徴とする。
【００１４】
さらに、本発明は、前記ノイズ遮蔽手段は、前記スイッチングノイズ発生部品を第１ノイズ遮蔽部で単体ごとに個別に覆うとともに、前記第１ノイズ遮蔽部をまとめて第２ノイズ遮蔽部で覆うことで、前記スイッチングノイズ発生部品から発生するスイッチングノイズを遮蔽することを特徴とする。
【００１５】
また、本発明は、前記ノイズ遮蔽手段は、前記インバータ回路ブロックを実装する前記基板にはんだ付けにより固定されたことを特徴とする。
【００１６】
さらに、本発明は、前記ノイズ遮蔽手段は、前記インバータ回路ブロックを実装する前記基板に固定具により固定されたことを特徴とする。
【発明の効果】
【００１７】
本発明では、電流制御回路およびインバータ回路ブロックを同じ基板に実装し、インバータ回路ブロックを構成する部品のうちスイッチングノイズを発生する部品（すなわち、スイッチングノイズ発生部品）にノイズ遮蔽手段を設けた。
スイッチングノイズ発生部品にノイズ遮蔽手段を設けることで、スイッチングノイズ発生部品から発生されたスイッチングノイズをノイズ遮蔽手段で遮蔽することができる。
これにより、スイッチングノイズ発生素子および電流制御回路を同じ基板に実装した状態で、電流制御回路へのスイッチングノイズの影響を抑えることができる。
【００１８】
また、スイッチングノイズをノイズ遮蔽手段で遮蔽することで、電流制御回路へのスイッチングノイズの影響を抑えるために、スイッチングノイズ発生素子や電流制御回路のレイアウトを検討する必要がない。
これにより、スイッチングノイズ発生素子および電流制御回路のレイアウトの自由度を高めることができる。
【００１９】
さらに、スイッチングノイズ発生素子および電流制御回路を同じ基板に実装することで、点灯装置の小型化を図ることができる。
【００２０】
また、本発明では、複数のスイッチングノイズ発生部品を単体ごとにノイズ遮蔽手段で個別に覆うようにした。
これにより、複数のスイッチングノイズ発生部品から発生するスイッチングノイズを各ノイズ遮蔽手段で単体ごとに遮蔽して、各スイッチングノイズ発生部品から発生するスイッチングノイズを一層確実に遮蔽できる。
【００２１】
さらに、本発明では、複数のスイッチングノイズ発生部品をノイズ遮蔽手段でまとめて覆うことで、ノイズ遮蔽手段を一つに抑えることができる。
これにより、部品点数の増加を抑制でき、かつ、部品点数の増加を抑制することで組立性の向上を図ることができる。
【００２２】
また、本発明では、複数のスイッチングノイズ発生部品を各部品ごとに遮蔽手段で仕切るとともに、仕切られた各部品を一部材の遮蔽手段で覆うようにした。
このように、各部品を一部材の遮蔽手段で覆うことで、部品点数の増加を抑制でき、かつ、部品点数の増加を抑制することで組立性の向上を図ることができる。
【００２３】
ここで、複数のスイッチングノイズ発生部品を覆う遮蔽手段を一部材とすることで、基板への取付部を減らすことができる。
このように取付部を減らすことで、基板に実装した素子間にスペースを確保でき、素子間の空いたスペースの有効活用ができる。
【００２４】
さらに、本発明では、複数のスイッチングノイズ発生部品を第１ノイズ遮蔽部で単体ごとに個別に覆うとともに、第１ノイズ遮蔽部をまとめて第２ノイズ遮蔽部で覆うようにした。
これにより、複数のスイッチングノイズ発生部品から発生したスイッチングノイズを、第１ノイズ遮蔽部で遮蔽するとともに、第２ノイズ遮蔽部で遮蔽することができる。
これにより、複数のスイッチングノイズ発生部品から発生されたスイッチングノイズを一層良好に遮蔽できる。
【００２５】
また、本発明では、ノイズ遮蔽手段を基板にはんだ付けで固定した。これにより、スイッチングノイズ発生部品から発生されたスイッチングノイズをノイズ遮蔽手段で受け、ノイズ遮蔽手段で受けたスイッチングノイズをはんだを経て外装部品（ケース）に逃がすことができる。
【００２６】
さらに、本発明では、ノイズ遮蔽手段を基板に固定具で固定した。これにより、スイッチングノイズ発生部品から発生されたスイッチングノイズをノイズ遮蔽手段で受け、ノイズ遮蔽手段で受けたスイッチングノイズを固定具を経て外装部品（ケース）に逃がすことができる。
【図面の簡単な説明】
【００２７】
【図１】本発明に係る点灯装置の第１実施形態を示す斜視図
【図２】（Ａ）は第１実施形態の点灯装置からケースおよびノイズ遮蔽手段を除去した状態を示す斜視図、（Ｂ）は（Ａ）の平面図
【図３】図３の点灯装置にノイズ遮蔽手段を備えた状態を示す斜視図
【図４】図３のノイズ遮蔽手段を示す断面図
【図５】図３のノイズ遮蔽手段を示す斜視図
【図６】図５のノイズ遮蔽手段を示す断面図
【図７】第１実施形態のノイズ遮蔽手段の変形例１を示す斜視図
【図８】図７の変形例１のノイズ遮蔽手段を示す断面図
【図９】第１実施形態のノイズ遮蔽手段の変形例２を示す斜視図
【図１０】第２実施形態の点灯装置からノイズ遮蔽手段を除去した状態を示す斜視図
【図１１】図１０の点灯装置にノイズ遮蔽手段を備えた状態を示す斜視図
【図１２】図１１のノイズ遮蔽手段を示す断面図
【図１３】第３実施形態の点灯装置を示す斜視図
【図１４】図１３のノイズ遮蔽手段を示す断面図
【図１５】第４実施形態の点灯装置を示す斜視図
【図１６】図１５のノイズ遮蔽手段を示す断面図
【図１７】従来の点灯装置を示す斜視図
【図１８】従来のもう一つの点灯装置を示す断面図
【発明を実施するための形態】
【００２８】
本発明を実施するための最良の形態を添付図に基づいて以下に説明する。
【００２９】
（第１実施形態）
第１実施形態に係る点灯装置１０について説明する。
図１〜図３に示すように、点灯装置１０は、一例として、光源（ＬＥＤやＨＩＤランプ）を用いた自動車のヘッドライトに設けられ、点灯作動により光源へ電源を供給する点灯装置である。
【００３０】
この点灯装置１０は、ケース１１と、ケース１１内に組み込まれた基板（インバータ回路実装基板）１２と、基板１２に実装された電流制御回路１４およびインバータ回路ブロック１５、インバータ回路ブロック１５のうちスイッチングノイズ発生部品を覆うノイズ遮蔽手段２０とを備えている。
【００３１】
基板１２には、電流制御回路１４およびインバータ回路ブロック１５に加えて入力カプラ１７および出力カプラ１８が実装されている。
電流制御回路１４は、電流が目標値になるようにインバータ回路を制御する回路である。
【００３２】
インバータ回路ブロック１５は、電力を変換する回路であり、電解コンデンサ（整流素子）２２、電解コンデンサ（安定化用パワー素子）２３、積層フイルムコンデンサ（安定化用パワー素子）２４、パワー素子２５、トランス２６、およびスイッチング素子２７を備えている。
【００３３】
パワー素子２５は電流を安定化させる素子であり、トランス２６は電圧変換を実施する素子である。
パワー素子２５、トランス２６およびスイッチング素子２７は、点灯回路の作動時にスイッチングノイズが発生するスイッチングノイズ発生部品である。
【００３４】
ノイズ遮蔽手段２０は、パワー素子２５を覆うパワー素子遮蔽部（ノイズ遮蔽部）３１と、トランス２６を覆うトランス遮蔽部（ノイズ遮蔽部）３２と、スイッチング素子２７を覆うスイッチング素子遮蔽部（ノイズ遮蔽部）３３とを備えている。
すなわち、ノイズ遮蔽手段２０は、パワー素子２５、トランス２６およびスイッチング素子２７を単体ごとにパワー素子遮蔽部３１、トランス遮蔽部３２およびスイッチング素子遮蔽部３３で個別に覆うように構成されている。
【００３５】
図４〜図６に示すように、パワー素子遮蔽部３１は、一例として、導電性材料を用いて側壁３５および天井部３６で筐体状に形成され、一対の取付片３７が基板１２に実装されている（設けられている）。天井部３６にはポッティング穴３６ａが形成されている。
具体的には、一対の取付片３７にビス（ネジ）やリベットなどの固定具３８が差し込まれ、固定具３８をケース１１に結合することで、パワー素子遮蔽部３１が基板１２に実装されている（設けられている）。
【００３６】
このパワー素子遮蔽部３１でパワー素子２５の近傍を覆うことで、パワー素子２５から発生されたスイッチングノイズをパワー素子遮蔽部３１で遮蔽できる。
このように、パワー素子遮蔽部３１でパワー素子２５の近傍を覆うことで、パワー素子２５から発生されたスイッチングノイズをパワー素子２５の近傍で抑制して、スイッチングノイズの影響を他の素子（部品）に与えることを抑制できる。
【００３７】
さらに、パワー素子遮蔽部３１をビス（ネジ）やリベットなどの固定具３８で基板１２に実装することで、パワー素子２５から発生されたスイッチングノイズをパワー素子遮蔽部３１で受け、パワー素子遮蔽部３１で受けたスイッチングノイズを固定具３８を経てケース１１に逃がすことができる。
【００３８】
図４に示すように、トランス遮蔽部３２は、パワー素子遮蔽部３１と同様に、一例として、導電性材料を用いて筐体状に形成され固定具３８で基板１２に実装されている。
これにより、トランス遮蔽部３２でトランス２６の近傍を覆うことが可能になり、トランス２６から発生されたスイッチングノイズをトランス遮蔽部３２で遮蔽できる。
このように、トランス遮蔽部３２でトランス２６の近傍を覆うことで、トランス２６から発生されたスイッチングノイズをトランス２６の近傍で抑制して、スイッチングノイズの影響を他の素子（部品）に与えることを抑制できる。
【００３９】
さらに、トランス遮蔽部３２を固定具３８で基板１２（ケース１１）に取り付けることで、トランス２６から発生されたスイッチングノイズをトランス遮蔽部３２で受け、トランス遮蔽部３２で受けたスイッチングノイズを固定具３８を経てケース１１に逃がすことができる。
【００４０】
図４に示すように、スイッチング素子遮蔽部３３は、パワー素子遮蔽部３１と同様に、一例として、導電性材料を用いて筐体状に形成され固定具３８で基板１２に実装されている。
これにより、スイッチング素子遮蔽部３３でスイッチング素子２７の近傍を覆うことが可能になり、スイッチング素子２７から発生されたスイッチングノイズをスイッチング素子遮蔽部３３で遮蔽できる。
このように、スイッチング素子遮蔽部３３でスイッチング素子２７の近傍を覆うことで、スイッチング素子２７から発生されたスイッチングノイズをスイッチング素子２７の近傍で抑制して、スイッチングノイズの影響を他の素子（部品）に与えることを抑制できる。
【００４１】
さらに、スイッチング素子遮蔽部３３を固定具３８で基板１２（ケース１１）に取り付けることで、スイッチング素子２７から発生されたスイッチングノイズをスイッチング素子遮蔽部３３で受け、スイッチング素子遮蔽部３３で受けたスイッチングノイズを固定具３８を経てケース１１に逃がすことができる。
【００４２】
以上説明したように、第１実施形態の点灯装置１０によれば、スイッチングノイズ発生部品（すなわち、パワー素子２５、トランス２６およびスイッチング素子２７）にノイズ遮蔽手段２０を設けることで、パワー素子２５、トランス２６およびスイッチング素子２７から発生されたスイッチングノイズをノイズ遮蔽手段２０で遮蔽することができる。
これにより、パワー素子２５、トランス２６およびスイッチング素子２７および電流制御回路１４を同じ基板１２に実装した状態で、電流制御回路１４へのスイッチングノイズの影響を抑えることができる。
【００４３】
また、スイッチングノイズをノイズ遮蔽手段２０で遮蔽することで、電流制御回路１４へのスイッチングノイズの影響を抑えるために、スイッチングノイズ発生素子（パワー素子２５、トランス２６およびスイッチング素子２７）や電流制御回路１４のレイアウトを検討する必要がない。
これにより、スイッチングノイズ発生素子（パワー素子２５、トランス２６およびスイッチング素子２７）および電流制御回路１４のレイアウトの自由度を高めることができる。
【００４４】
さらに、スイッチングノイズ発生素子（パワー素子２５、トランス２６およびスイッチング素子２７）および電流制御回路１４を同じ基板１２に実装することで、点灯装置１０の小型化を図ることができる。
【００４５】
加えて、複数のスイッチングノイズ発生部品（パワー素子２５、トランス２６およびスイッチング素子２７）を単体ごとにノイズ遮蔽手段（すなわち、パワー素子遮蔽部３１、トランス遮蔽部３２およびスイッチング素子遮蔽部３３）で個別に覆うようにした。
これにより、パワー素子２５、トランス２６およびスイッチング素子２７から発生するスイッチングノイズをパワー素子遮蔽部３１、トランス遮蔽部３２およびスイッチング素子遮蔽部３３で単体ごとに遮蔽して、パワー素子２５、トランス２６およびスイッチング素子２７から発生するスイッチングノイズを一層確実に遮蔽できる。
【００４６】
また、パワー素子遮蔽部３１、トランス遮蔽部３２およびスイッチング素子遮蔽部３３をそれぞれ導電性材料で形成することで、各部品３１〜３３から発生した熱を遮蔽部３１〜３３から良好に放熱することができ、放熱性の向上を図ることができる。
【００４７】
（変形例１）
第１実施形態では、パワー素子遮蔽部３１をビス（ネジ）やリベットなどの固定具３８で取り付けた例について説明したが、図７、図８に示す変形例１ように、パワー素子遮蔽部３１を係止爪やバネ部材などの固定具３９で取り付けることも可能である。
変形例１によれば、係止爪やバネ部材などの固定具３９をケース１１に一体に形成することができるので部品点数を削減できる。
【００４８】
（変形例２）
また、第１実施形態では、パワー素子遮蔽部３１を筐体状に形成した例について説明したが、これに限らないで、図９に示す変形例２ように、パワー素子遮蔽部（ノイズ遮蔽部）４４として柔軟性のある部材（例えば、シールドメッシュの銅線）を用い、基板１２にはんだ４５で固定する（すなわち、はんだ付けする）ことも可能である。
シールドメッシュのような柔軟性のあるパワー素子遮蔽部４４でパワー素子２５を覆うことで、パワー素子２５から発生されたスイッチングノイズをパワー素子遮蔽部４４で遮蔽することができる。
【００４９】
さらに、パワー素子遮蔽部４４として柔軟性のある部材（例えば、シールドメッシュの銅線）を用いることで、複雑な形状（使用エリア）で、かつ、狭いエリアにおいてパワー素子遮蔽部４４の使用が可能になる。
【００５０】
つぎに、第２実施形態〜第４実施形態の点灯装置を図１０〜図１６に基づいて説明する。なお、第２実施形態〜第４実施形態の点灯装置において第１実施形態の点灯装置１０と同一類似部材については同じ符号を付して説明を省略する。
【００５１】
（第２実施形態）
第２実施形態に係る点灯装置５０を図１０〜図１２に基づいて説明する。なお、図１２においては、ノイズ遮蔽手段５１の構成の理解を容易にするためにトランス２６を省略して図示する。
図１０〜図１２に示すように、点灯装置５０は、第１実施形態のノイズ遮蔽手段２０に代えてノイズ遮蔽手段５１を備えたものである。
【００５２】
ノイズ遮蔽手段５１は、一例として、導電性材料を用いて側壁５２および天井部５３で筐体状に形成され、一対の取付片５４が基板１２に実装されている（設けられている）。
このノイズ遮蔽手段５１は、インバータ回路ブロック１５を構成する部品のうち、スイッチングノイズを発生する部品（パワー素子２５、トランス２６およびスイッチング素子２７）を所定箇所にまとめて実装し、パワー素子２５、トランス２６およびスイッチング素子２７をまとめて覆う部材である。
【００５３】
ノイズ遮蔽手段５１でパワー素子２５、トランス２６およびスイッチング素子２７をまとめて覆うことで、トランス２６およびスイッチング素子２７から発生するスイッチングノイズをまとめて遮蔽することができる。
【００５４】
第２実施形態に係る点灯装置５０によれば、パワー素子２５、トランス２６およびスイッチング素子２７をまとめて一箇所に集中的に実装することにより、パワー素子２５、トランス２６およびスイッチング素子２７を一つのノイズ遮蔽手段５１でまとめて覆うことができる。
これにより、第２実施形態に係る点灯装置５０の部品点数の増加を抑制でき、かつ、部品点数の増加を抑制することで組立性の向上を図ることができる。
【００５５】
さらに、第２実施形態に係る点灯装置５０によれば、第１実施形態に係る点灯装置１０と同様の効果を得ることができる。
【００５６】
（第３実施形態）
第３実施形態に係る点灯装置６０を図１３〜図１４に基づいて説明する。なお、図１４においては、ノイズ遮蔽手段６１の構成の理解を容易にするためにトランス２６を省略して図示する。
図１３〜図１４に示すように、点灯装置６０は、第２実施形態のノイズ遮蔽手段５１に代えてノイズ遮蔽手段６１を備えたものである。
【００５７】
ノイズ遮蔽手段６１は、第１実施形態のノイズ遮蔽手段２０と同様にパワー素子２５、トランス２６およびスイッチング素子２７を単体ごとに第１ノイズ遮蔽部６３〜６５で個別に覆うとともに、第１ノイズ遮蔽部６３〜６５をまとめて第２ノイズ遮蔽部６７で覆うものである。
【００５８】
第１ノイズ遮蔽部６３〜６５は、第１実施形態の各ノイズ遮蔽部３１〜３３と同様に、それぞれが側壁７１および天井部７２で筐体状に形成され、基板１２に実装されている（設けられている）。
第２ノイズ遮蔽部６７は、第２実施形態のノイズ遮蔽手段５１と同様に、側壁７３および天井部７４で筐体状に形成され、基板１２に実装されている（設けられている）。
【００５９】
パワー素子２５、トランス２６およびスイッチング素子２７を単体ごとに第１ノイズ遮蔽部６３〜６５で個別に覆うことで、各部品２５〜２７から発生されたスイッチングノイズを第１ノイズ遮蔽部６３〜６５で個別に遮蔽できる。
加えて、第１ノイズ遮蔽部６３〜６５をまとめて第２ノイズ遮蔽部６７を覆うことで、各部品２５〜２７（具体的には、第１ノイズ遮蔽部６３〜６５）から発生されたスイッチングノイズを第２ノイズ遮蔽部６７で遮蔽できる。
【００６０】
よって、各部品２５〜２７から発生したスイッチングノイズを、第１ノイズ遮蔽部６３〜６５で個別に遮蔽するとともに、第２ノイズ遮蔽部６７で遮蔽することができる。
これにより、各部品２５〜２７から発生されたスイッチングノイズを一層良好に遮蔽できる。
【００６１】
さらに、第３実施形態に係る点灯装置６０によれば、第１実施形態に係る点灯装置１０と同様の効果を得ることができる。
【００６２】
（第４実施形態）
第４実施形態に係る点灯装置８０を図１５〜図１６に基づいて説明する。なお、図１６においては、ノイズ遮蔽手段８１の構成の理解を容易にするためにトランス２６を省略して図示する。
図１５〜図１６に示すように、点灯装置８０は、第３実施形態のノイズ遮蔽手段６１に代えてノイズ遮蔽手段８１を備えたものである。
【００６３】
ノイズ遮蔽手段８１は、第３実施形態の第２ノイズ遮蔽部６７を除去し、第３実施形態の第１ノイズ遮蔽部６３〜６５を一体に形成したものである。
すなわち、ノイズ遮蔽手段８１は、パワー素子２５、トランス２６およびスイッチング素子２７を第１ノイズ遮蔽部６３〜６５で各部品２５〜２７ごとに仕切を設けて一部材で覆うことで、スイッチングノイズ発生部品（パワー素子２５、トランス２６およびスイッチング素子２７）から発生するスイッチングノイズを各部品２５〜２７ごとに遮蔽することができる。
【００６４】
第４実施形態に係るノイズ遮蔽手段８１によれば、第１ノイズ遮蔽部６３〜６５を一体に形成することで、部品点数の増加を抑制でき、かつ、部品点数の増加を抑制することで組立性の向上を図ることができる。
【００６５】
また、第３実施形態の第２ノイズ遮蔽部６７を除去することで、ケース１１の深さ方向にスペースを確保できる。
ここで、図１に示すように、点灯装置１０は、ケース１１に対してインバータ回路ブロック１５などの部品が過密に実装されている。
よって、基板１２の実装平面スペース以外にケース１１の深さ方向にスペースを確保できることで、ジャンパー線を使用したり、ケース１１の蓋体の形状を複雑にするなどの有効スペースを確保できる。
これにより、インバータ回路ブロック１５などの部品間の空いたスペースの有効活用ができる。
【００６６】
加えて、第１ノイズ遮蔽部６３〜６５を一体に形成することで、基板１２への取付部を減らすことができる。
このように取付部を減らすことで、基板１２に実装した素子間にスペースを確保でき、素子間の空いたスペースの有効活用ができる。
【００６７】
さらに、第４実施形態に係る点灯装置８０によれば、第１実施形態に係る点灯装置１０と同様の効果を得ることができる。
【００６８】
なお、本発明に係る点灯装置１０，５０，６０，８０は、前述した第１実施形態〜第４実施形態に限定されるものではなく適宜変更、改良などが可能である。
例えば、第１実施形態〜第４実施形態では、点灯装置１０，５０，６０，８０を自動車のヘッドライトに用いた例について説明したが、これに限定するものではなく、道路標識や信号灯などの自動車以外の点灯装置に用いることも可能である。
【００６９】
また、第１実施形態〜第４実施形態で示した基板１２、電流制御回路１４、インバータ回路ブロック１５、ノイズ遮蔽手段２０，５１，６１，８１、パワー素子２５、トランス２６、スイッチング素子２７、パワー素子遮蔽部３１、４４、トランス遮蔽部３２、スイッチング素子遮蔽部３３、固定具３８，３９、はんだ４５、第１ノイズ遮蔽部６３〜６５および第２ノイズ遮蔽部６７などの形状や構成は例示したものに限定するものではなく適宜変更が可能である。
【符号の説明】
【００７０】
１０，５０，６０，８０  点灯装置
１２  基板
１４  電流制御回路
１５  インバータ回路ブロック
２０，５１，６１，８１  ノイズ遮蔽手段
２５  パワー素子（スイッチングノイズ発生部品）
２６  トランス（スイッチングノイズ発生部品）
２７  スイッチング素子（スイッチングノイズ発生部品）
３１、４４  パワー素子遮蔽部（ノイズ遮蔽部）
３２  トランス遮蔽部（ノイズ遮蔽部）
３３  スイッチング素子遮蔽部（ノイズ遮蔽部）
３８，３９  固定具
４５  はんだ
６３〜６５  第１ノイズ遮蔽部
６７  第２ノイズ遮蔽部
【図１】
2010272576.tif 000003
【図２】
2010272576.tif 000004
【図３】
2010272576.tif 000005
【図４】
2010272576.tif 000006
【図５】
2010272576.tif 000007
【図６】
2010272576.tif 000008
【図７】
2010272576.tif 000009
【図８】
2010272576.tif 000010
【図９】
2010272576.tif 000011
【図１０】
2010272576.tif 000012
【図１１】
2010272576.tif 000013
【図１２】
2010272576.tif 000014
【図１３】
2010272576.tif 000015
【図１４】
2010272576.tif 000016
【図１５】
2010272576.tif 000017
【図１６】
2010272576.tif 000018
【図１７】
2010272576.tif 000019
【図１８】
2010272576.tif 000020